(57)【要約】      （修正有）【課題】データ処理装置からの入力すべきログイン情報の入力は回数を減らして、ログイン情報が頻繁に通信回線上に出力される事態を制限することでセキュリティ面を確保しつつ、各サーバ装置への接続に伴うログイン情報の入力負担を大幅に軽減できる。【解決手段】フォトサイト１０７のサーバ装置は、ユーザＰＣ１０２Ａから入力されたログイン情報を認証するための第１の認証情報と他のサーバ装置へアクセスするための第２の認証情報とを顧客データベース１０９、リレーション情報１５０として記憶し、ユーザＰＣ１０２Ａから通知されるログイン情報を記憶されている第１の認証情報に基づいて認証し、該認証後、プリントサイト１１３Ａのサーバ装置への要求が発生した場合に、顧客データベース１０９から第２の認証情報を取得して要求先のサーバ装置に転送して認証処理を代行させる。【選択図】図１
2006236258.tif 000002
【特許請求の範囲】
【請求項１】
所定の通信媒体を介してデータ処理装置からの要求に基づいて、複数のサーバ装置が提供するサービスを連携して所定のデータ処理を行うデータ処理システムであって、
前記データ処理装置は、
いずれかのサーバ装置にログインする場合にログイン情報を入力する入力手段と、
前記入力手段により入力されるログイン情報をいずれかのサーバ装置に転送する転送手段とを備え、
いずれかのサーバ装置は、
前記入力手段により入力されたログイン情報を認証するための第１の認証情報と他のサーバ装置へアクセスするための第２の認証情報とを記憶する記憶手段と、
前記データ処理装置から通知されるログイン情報を前記記憶手段に記憶されている第１の認証情報に基づいて認証する認証手段と、
前記認証手段による認証後、他のサーバ装置への要求が発生した場合に、前記記憶手段から前記第２の認証情報を取得して要求先のサーバ装置に転送して認証処理を代行させる認証代行手段と、
を備えたことを特徴とするデータ処理システム。
【請求項２】
前記転送手段は、所定の暗号化処理を施してログイン情報をいずれかのサーバ装置に転送することを特徴とする請求項１記載のデータ処理システム。
【請求項３】
前記データ処理装置は、
さらに、いずれかのサーバ装置からデータ処理要求ＵＩを取得して表示部に表示する表示制御手段と、
前記データ処理要求ＵＩを介してデータ処理要求をいずれかのサーバ装置に発行する要求発行手段と、
いずれかのサーバ装置からデータ処理結果を取得して確認する確認手段とを備えることを特徴とする請求項１記載のデータ処理システム。
【請求項４】
前記サービスは、画像処理サービスであることを特徴とする請求項１記載のデータ処理システム。
【請求項５】
所定の通信媒体を介してデータ処理装置からの要求に基づいて、他のサーバ装置と連携して所定のデータ処理を行うサーバ装置であって、
前記データ処理装置から通知されるログイン情報を認証するための第１の認証情報と他のサーバ装置へアクセスするための第２の認証情報とを記憶する記憶手段と、
前記データ処理装置から通知されるログイン情報を前記記憶手段に記憶されている第１の認証情報に基づいて認証する認証手段と、
前記認証手段による認証後、他のサーバ装置への要求が発生した場合に、前記記憶手段から前記第２の認証情報を取得して要求先のサーバ装置に転送して認証処理を代行させる認証代行手段と、
を備えたことを特徴とするサーバ装置。
【請求項６】
所定の通信媒体を介してデータ処理装置からの要求に基づいて、複数のサーバ装置が提供するサービスを連携して所定のデータ処理を行うデータ処理システムにおける認証処理方法であって、
前記データ処理装置は、
いずれかのサーバ装置にログインする場合にログイン情報を入力する入力ステップと、
前記入力ステップにより入力されるログイン情報をいずれかのサーバ装置に転送する転送ステップとを備え、
データ処理装置から入力されるログイン情報を認証するための第１の認証情報と他のサーバ装置へアクセスするための第２の認証情報とを記憶する記憶手段を備えるサーバ装置は、
前記データ処理装置から通知されるログイン情報を前記記憶手段に記憶されている第１の認証情報に基づいて認証する認証ステップと、
前記認証ステップによる認証後、他のサーバ装置への要求が発生した場合に、前記記憶手段から前記第２の認証情報を取得して要求先のサーバ装置に転送して認証処理を代行させる認証代行ステップと、
を備えたことを特徴とする認証処理方法。
【請求項７】
データ処理装置から通知されるログイン情報を認証するための第１の認証情報と他のサーバ装置へアクセスするための第２の認証情報とを記憶する記憶手段を備え、所定の通信媒体を介してデータ処理装置からの要求に基づいて、他のサーバ装置と連携して所定のデータ処理を行うサーバ装置における認証処理方法であって、
前記データ処理装置から通知されるログイン情報を前記記憶手段に記憶されている第１の認証情報に基づいて認証する認証ステップと、
前記認証ステップによる認証後、他のサーバ装置への要求が発生した場合に、前記記憶手段から前記第２の認証情報を取得して要求先のサーバ装置に転送して認証処理を代行させる認証代行ステップと、
を備えたことを特徴とする認証処理方法。
【請求項８】
請求項６または７に記載の認証処理方法を実行させるためのプログラムを格納したことを特徴とするコンピュータが読み取り可能な記憶媒体。
【請求項９】
請求項６または７に記載の認証処理方法を実行させることを特徴とするプログラム。
【発明の詳細な説明】
【技術分野】
【０００１】
本発明は、所定の通信媒体を介してデータ処理装置からの要求に基づいて、複数のサーバ装置が提供するサービスを連携して所定のデータ処理を行うデータ処理システム等に関するものである。
【背景技術】
【０００２】
近年、通信インフラの整備及び情報通信技術の発展により、インターネットを利用した情報提供サービス及び情報利用サービスが可能となった。
【０００３】
特に、テキストデータ、画像データ、音声データ等全てのデータがデジタル化されたマルチメディア環境での、情報の共有、情報の提供が可能となり、インターネットを介して多くの情報提供サービスが誕生している。
【０００４】
また、これと同時に、半導体デバイスの微細化が順調に進み、デジタルスチルカメラやデジタルビデオカメラに代表される画像入力機器を構成するＬＳＩや固体撮像素子の部品サイズ、コストがスケールダウンした事で、これら画像入力機器が、顧客の間に、画像を撮影する電子機器として、深く浸透していった。
【０００５】
そして、デジタルカメラを購入した顧客が撮影した画像データは、デジタルカメラ内にあるメモリに保存された後、一般的に顧客が所有するパーソナルコンピュータ内のＨＤＤ等に代表される記録装置に転送され、管理保存されたり、ＣＤ−Ｒ等の外部記録メディアに書き込まれて保管されていた。
【０００６】
また、デタルカメラのみならずカラースキャナの普及に伴い電子データとして画像を作成、保管することが容易にできるようになった。
【０００７】
また、先に説明したようなインターネットの急激な発達により、この通信インフラを利用した情報利用＆提供サービスが急増する中、インターネット上のサーバの記憶領域に、顧客が画像入力機器で撮影した画像データを預かり、その画像データを顧客が望む時に再度閲覧できるようなサービスを提供するアプリケーションサービスプロバイダ（以後フォトサイトと呼ぶことにする）や、インターネットを利用して年賀状やワープロ文書、画像などの電子ドキュメントを転送してもらうことにより、印刷物をプリントアウトして商品を提供するプリントサービスプロバイダ（以後プリントサイトと呼ぶ）やインターネット上で行われる商取引に関して、顧客が購入した商品の代金回収にともなう決済処理を、その商品を取り扱うＷｅｂサイトから依頼を受けて、代行して行う決済代行サイトが登場するようになった。
【０００８】
そして、顧客がフォトサイト上の記憶エリアに預けてある画像を含む電子データ又はフォトサイトが顧客に提供する画像データを含む電子データの印刷注文を、顧客に代わり、フォトサイトがプリントサイトにオーダし、その料金回収に関する決済処理は、フォトサイトから決済代行サイトに依頼する事で、フォトサイトは、それ自身、多様な機能をもたなくとも、顧客に対して多くのサービスを提供する事ができた。
【０００９】
また、利用する顧客は、これらＷｅｂサービスを受ける為に、ログイン処理（パスワード承認、顧客ＩＤ確認）により、フォトサイト、プリントサイトからサービス利用の承認を受ける必要があった（特許文献１、２）。
【特許文献１】特開２００３−１０８８１５号公報
【特許文献２】特開２００３−１０８８８６号公報
【発明の開示】
【発明が解決しようとする課題】
【００１０】
しかしながら、フォトサイトで一度、承認を受けた顧客がフォトサイトから他のプリントサイトのプリント注文サービスを利用する場合、再度、顧客は、利用先のプリントサイトにログイン処理をして、このプリントサイトの承認を受ける必要があり、顧客にとって非常に利用しにくいプリント注文仲介サービスであった。
【００１１】
特に、フォトサイトの提供する複数のプリントサイトのプリント注文仲介サービスを、同時に利用する場合、利用する顧客は、それぞれのプリントサイトに対して個別にログイン処理をしなければならず、顧客のアクションの手間を増やすだけではなく、貴重な個人情報をインターネットを介して各サービスサイトに転送する事になり、情報保護的な面で問題を持っていた。
【００１２】
このように複数のサイトが関連し合って、複合的あるいは連続的な処理が実行される場合に、ユーザにその都度アクセス承認を要求することは、ユーザ負担が重く、円滑なデータ処理の連携に支障を来して、シームレスがデータ処理サービスをユーザに提供しにくくさせてしまう等の問題点が指摘されていた。
【００１３】
したがって、上記画像処理システムにおける課題というよりは、複数のサイトを利用するシステムであれば同様の問題が発生しており、そのシステムにおける課金処理が伴うかどうかは任意である。
【００１４】
本発明は、上記の問題点を解決するためになされたもので、第１の目的は、いずれかのサーバ装置は、データ処理装置から入力されたログイン情報を認証するための第１の認証情報と他のサーバ装置へアクセスするための第２の認証情報とを記憶し、データ処理装置から通知されるログイン情報を前記記憶手段に記憶されている第１の認証情報に基づいて認証し、該認証後、他のサーバ装置への要求が発生した場合に、記憶手段から前記第２の認証情報を取得して要求先のサーバ装置に転送して認証処理を代行させることにより、データ処理装置からいずれかのサーバ装置にアクセスする場合であって、接続したサーバ装置からさらに、他のサーバ装置に接続する場合であっても、データ処理装置からの入力すべきログイン情報の入力は１回で済み、ログイン情報が頻繁に通信回線上に出力される事態を制限することでセキュリティ面を確保しつつ、各サーバ装置への接続に伴うログイン情報の入力負担を大幅に軽減することができるデータ処理システムおよび認証処理方法およびコンピュータが読み取り可能なプログラムを格納した記憶媒体およびプログラムを提供することである。
【００１５】
第２の目的は、サーバ装置は、データ処理装置から通知されるログイン情報を認証するための第１の認証情報と他のサーバ装置へアクセスするための第２の認証情報とを記憶しておき、データ処理装置から通知されるログイン情報を前記記憶手段に記憶されている第１の認証情報に基づいて認証し、該認証後、他のサーバ装置への要求が発生した場合に、前記記憶手段から前記第２の認証情報を取得して要求先のサーバ装置に転送して認証処理を代行させることにより、データ処理装置からいずれかのサーバ装置にアクセスする場合であって、接続したサーバ装置からさらに、他のサーバ装置に接続する場合であっても、データ処理装置からの入力すべきログイン情報の入力は１回で済み、ログイン情報が頻繁に通信回線上に出力される事態を制限することでセキュリティ面を確保しつつ、各サーバ装置への接続に伴うログイン情報の入力負担を大幅に軽減することができるサーバ装置および認証処理方法およびコンピュータが読み取り可能なプログラムを格納した記憶媒体およびプログラムを提供することである。
【課題を解決するための手段】
【００１６】
上記目的を達成する本発明のデータ処理システムは以下に示す構成を備える。
【００１７】
所定の通信媒体を介してデータ処理装置からの要求に基づいて、複数のサーバ装置が提供するサービスを連携して所定のデータ処理を行うデータ処理システムであって、前記データ処理装置は、いずれかのサーバ装置にログインする場合にログイン情報を入力する入力手段と、前記入力手段により入力されるログイン情報をいずれかのサーバ装置に転送する転送手段とを備え、いずれかのサーバ装置は、前記入力手段により入力されたログイン情報を認証するための第１の認証情報と他のサーバ装置へアクセスするための第２の認証情報とを記憶する記憶手段と、前記データ処理装置から通知されるログイン情報を前記記憶手段に記憶されている第１の認証情報に基づいて認証する認証手段と、前記認証手段による認証後、他のサーバ装置への要求が発生した場合に、前記記憶手段から前記第２の認証情報を取得して要求先のサーバ装置に転送して認証処理を代行させる認証代行手段とを備えたことを特徴とする。
【００１８】
上記目的を達成する本発明のサーバ装置は以下に示す構成を備える。
【００１９】
所定の通信媒体を介してデータ処理装置からの要求に基づいて、他のサーバ装置と連携して所定のデータ処理を行うサーバ装置であって、前記データ処理装置から通知されるログイン情報を認証するための第１の認証情報と他のサーバ装置へアクセスするための第２の認証情報とを記憶する記憶手段と、前記データ処理装置から通知されるログイン情報を前記記憶手段に記憶されている第１の認証情報に基づいて認証する認証手段と、前記認証手段による認証後、他のサーバ装置への要求が発生した場合に、前記記憶手段から前記第２の認証情報を取得して要求先のサーバ装置に転送して認証処理を代行させる認証代行手段とを備えたことを特徴とする。
【００２０】
上記目的を達成する本発明の認証処理方法は以下に示す構成を備える。
【００２１】
所定の通信媒体を介してデータ処理装置からの要求に基づいて、複数のサーバ装置が提供するサービスを連携して所定のデータ処理を行うデータ処理システムにおける認証処理方法であって、前記データ処理装置は、いずれかのサーバ装置にログインする場合にログイン情報を入力する入力ステップと、前記入力ステップにより入力されるログイン情報をいずれかのサーバ装置に転送する転送ステップとを備え、データ処理装置から入力されるログイン情報を認証するための第１の認証情報と他のサーバ装置へアクセスするための第２の認証情報とを記憶する記憶手段を備えるサーバ装置は、前記データ処理装置から通知されるログイン情報を前記記憶手段に記憶されている第１の認証情報に基づいて認証する認証ステップと、前記認証ステップによる認証後、他のサーバ装置への要求が発生した場合に、前記記憶手段から前記第２の認証情報を取得して要求先のサーバ装置に転送して認証処理を代行させる認証代行ステップとを備えたことを特徴とする。
【００２２】
また、データ処理装置から通知されるログイン情報を認証するための第１の認証情報と他のサーバ装置へアクセスするための第２の認証情報とを記憶する記憶手段を備え、所定の通信媒体を介してデータ処理装置からの要求に基づいて、他のサーバ装置と連携して所定のデータ処理を行うサーバ装置における認証処理方法であって、前記データ処理装置から通知されるログイン情報を前記記憶手段に記憶されている第１の認証情報に基づいて認証する認証ステップと、前記認証ステップによる認証後、他のサーバ装置への要求が発生した場合に、前記記憶手段から前記第２の認証情報を取得して要求先のサーバ装置に転送して認証処理を代行させる認証代行ステップとを備えたことを特徴とする。
【発明の効果】
【００２３】
本発明によれば、データ処理装置からいずれかのサーバ装置にアクセスする場合であって、接続したサーバ装置からさらに、他のサーバ装置に接続する場合であっても、データ処理装置からの入力すべきログイン情報の入力は１回で済み、ログイン情報が頻繁に通信回線上に出力される事態を制限することでセキュリティ面を確保しつつ、各サーバ装置への接続に伴うログイン情報の入力負担を大幅に軽減することができる。
【００２４】
従って、画像処理サービスにおいては、顧客が最終的なサービスを受け終えるまでに連携するサーバ装置の数が多くなった場合でも、ユーザによるログイン情報入力負担を１回で済み、ログイン情報が通信媒体上に出力される回数を極力少なくできる等の効果を奏する。
【発明を実施するための最良の形態】
【００２５】
次に本発明を実施するための最良の形態について図面を参照して説明する。
【００２６】
＜システム構成の説明＞
〔第実施形態〕
図１は、本発明の第１実施形態を示すデータ処理システムの構成を説明するブロック図であり、例えばプリントサービスを複数のサーバ装置を連携して行う画像処理システムを例とする場合について説明するが、本発明は、画像処理システムに限らず、所定の通信媒体を介してデータ処理装置からの要求に基づいて、複数のサーバ装置が提供するサービスを連携して所定のデータ処理を行うデータ処理システムであれば何でも良い。
【００２７】
図１において、１００は画像入力機器であり、静止画を撮影し、画像データとして記録できるデジタルスチルカメラ、動画を撮影し、動画像データとして記録できるデジタルビデオカメラなどで、イメージ情報である光学像を、電気信号に変換し、所定の画像処理をした後、デジタル情報として、記録、再生する装置である。
【００２８】
１０２Ａはユーザ用パーソナルコンピュータであり（以下、ユーザＰＣと記す）、１０１はデータ転送用インタフェースで、画像入力装置１００と該ユーザＰＣ１０２Ａ間で、撮影された画像データを転送する。なお、データ転送用インタフェース１０１は、ＵＳＢ、ＩＥＥＥ１３９４に代表される有線インタフェースの場合や、ＩｒＤＡ（登録商標）、Ｂｌｕｅｔｏｏｔｈ（商品名）に代表される無線系インタフェースの場合もある。
【００２９】
該画像入力装置１００で撮影されデジタル情報として格納されでいる画像データは、この該データ転送用インタフェース１０１を介して、該ユーザＰＣ１０２ＡのＨＤＤに代表される情報記億装置の記憶領域に転送される。この該画像入力装置１００から該ユーザＰＣ１０２Ａの画像データ転送に関しては、該ユーザＰＣ１０２ＡにインストールされているＯＳ又は専用のソフトウエアからの命令で、該画像入力装置１００内にある該情報記憶装置に格納されている画像データを一括転送する場合と、該画像入力装置１０１から送らせる転送コマンドで、該ユーザＰＣ１０２ＡのＯＳまたは専用ソフトウエアが、該ユーザＰＣ１０２Ａの該情報記録部に、データ記録領域を確保し、画像データを転送する場合がある。この様にして、該ユーザＰＣｌＯ２Ａに転送された画像データは、以下の手順によって、インターネット１０６に接続されているフォトサイト１０７にアップロードされる。
【００３０】
該ユーザＰＣ１０２Ａ上で動作する該インターネット（Ｉｎｔｅｒｎｅｔ）１０６での情報転送可能な標準プロトコルを有するブラウザは、ｈｔｔｐプロトコル等の標準プロトコルを用いて該フォトサイト１０７にアクセスし、該フォトサイト１０７のサーバＰＣが管理するＨＴＭＬ、ＸＭＬ等の記述言語で作成された画像、音声等のマルチメディア情報とリンクされているＷｅｂ情報を表示する。この動作により、該ユーザＰＣ１０２Ａは、該フォトサイト１０７が提供する通信インフラとして該インターネット１０６を利用したサービスを受ける事が出来る。
【００３１】
なお、該フォトサイト１０７のサービスを利用する顧客は、まず最初に該フォトサイト１０７を利用する段階で、該フォトサイト１０７が提供するホームページ上から、個人情報を入力し、パスワードを設定する。ここで顧客が入力した様々な情報は、顧客データベース１０９に登録され、この情報に関連づけられた顧客ＩＤが発行される。そして、一度、この処理を行えば、顧客は、次回からパスワードの入力のみで、該フォトサイト１０７から承認を受け、該フォトサイト１０７のサービスを利用する事ができる。
【００３２】
次に、該ユーザＰＣ１０２Ａの該情報記憶領域に格納されている該画像入力装置１００で撮影された画像データは、該ユーザＰＣ１０２Ａのユーザの要求により、該フォトサイト１０７に所定のプロトコルで転送される（以下この転送を、画像アップロードと呼ぶ）。
【００３３】
なお、画像アップロードは、先に述べたブラウザから、転送したい画像データを選択して、画像アップロードの要求アクションに連動して転送される場合や、画像アップロード専用ソフトウエア等を用いて、画像データを選択し、前述した画像アップロード専用ソフトウエアから直接転送される場合がある。
【００３４】
いずれの場合も、ｈｔｔｐやｆｔｐのインターネット上で利用可能なプロトコルに基づいて実行される。この一連の動作を、該フォトサイト１０７で実行するモジュールがフォトシェアリングモジュール（ＰｈｏｔｏＳｈａｒｉｎｇ）１０６である。
【００３５】
そして、アップロードされた画像データは、該フォトシェアリングモジュール１０６にて、該フォトサイト１０７が、使用可能なデータである事をチェックし、利用可能であると判断した場合は、アップロードされた画像データを画像データベース（画像ＤＢ）１０８に格納する。この段階で該フォトシェアリングモジュール１０６は、正常に画像データがアップロードされた事を、該ユーザＰＣ１０２Ａに通知する。該顧客データベース１０９には、先に説明した画像データの属性情報以外にも、該フォトサイト１０７に登録しているユーザ属性情報のデータと、アップロードされた画像データのプリントアウトを依頼するプリントサービス提供者（以下、プリントサイトと略す）の属性情報等の各種データが、一元管理されている。
【００３６】
この様にしてアップロードされた画像データを該ユーザＰＣ１０２Ａのユーザは、Ｗｅｂブラウザを介して、指定した画像データを自在に閲覧する事ができる。この閲覧処理に関しては、アップロードされた画像データを、複数枚を１つの単位とし、アルバムとして管理される場合もある。
【００３７】
次に、アップロードした画像データのプリント注文の流れと本実施形態の最大の特徴であるプリントサイト１１３Ａ〜１１３Ｃヘのログイン代行処理に関して、順を追って説明する。
【００３８】
ユーザＰＣ１０２Ａから該フォトサイト１０７にアップロードした画像データの内、該ユーザＰＣ１０２Ａのユーザは、Ｗｅｂブラウザを介して、自分がアップロードした画像データを閲覧する事ができる。この時、閲覧する画像を選択する手段としては、単一の画像単位で、逐次閲覧する画像を選択していく場合や、上述した複数枚を一つのアルバムとして登録し、複数個のアルバム群から自分が閲覧したいアルバムを選択し、その選択されたアルバムが管理している個々の画像を選択、閲覧する場合がある。
【００３９】
該フォトサイト１０７は、ユーザからアップロードされた画像データのプリント注文を、画像データのプリントアウトをソリューションとして提供するプリントサイト１１３Ａ〜１１３Ｃに依頼する。このプリントプロバイダが、プリントサイト１１３Ａ、１１３Ｂ、１１３Ｃである。なお、図１に示す例では説明上プリントサイトを、３つほど図示したが、これ以上の場合もあり、その数に制限はない。
【００４０】
該ユーザＰＣ１０２Ａのユーザは、アップロードした画像データの閲覧画面から、プリントアウトして商品として欲しい画像データを選択する。
【００４１】
次に、該ユーザＰＣ１０２Ａの顧客は、プリント注文をするプリントサイトを選択する。このプリントサイトの選択に関しては、該ユーザＰＣ１０２の顧客が希望するプリントサイトを選択する場合や、該フォトサイトがデフォルトで、各々の顧客の属性情報から推進する場合がある。
【００４２】
本実施形態の最大の特徴であるログイン代行処理を説明するため、この図１において、該プリントサイト１１３Ａに、プリント注文を依頼した場合について説明する。
【００４３】
該ユーザＰＣ１０２Ａの顧客は、フォトサイト１０７で選択した閲覧画像を、該プリントサイト１１３Ａにプリント注文する場合、該フォトサイト１０７は、該顧客データベース１０９に格納されている該ユーザＰＣ１０２Ａの顧客の該プリントサイト１１３Ａでの顧客ＩＤ、パスワードを検索し顧客情報リレーションユニット１５０に転送する。
【００４４】
該顧客情報リレーションユニット１５０では、該フォトサイト１０７における該ユーザＰＣ１０２Ａの顧客の顧客ＩＤと該プリントサイト１１３Ａでの顧客ＩＤの関連付け確認を行い、両顧客ＩＤが同一利用者である事を確認し、該フォトサイト１０７が該プリントサイト１１３Ａに対して、該ユーザＰＣ１０２Ａの顧客のログイン処理を代行する。
【００４５】
該フォトサイト１０７は、該ユーザＰＣ１０２Ａの顧客の該プリントサイト１１３Ａでのパスワードを、該プリントサイト１１３Ａに転送する。
【００４６】
そして、該プリントサイト１１３Ａでは、該フォトサイト１０７から転送されたパスワードを、プリントサイト１１３Ａ内に備える、例えばハードディスク等で構成される顧客データベース１５１に格納されている該ユーザＰＣ１０２Ａの顧客のパスワードと照合し、一致した場合、利用顧客として承認された事を該プリントサイト１１３Ａは該フォトサイト１０７に通知する。
【００４７】
この承認処理により、該ユーザＰＣ１０２Ａの顧客は、再度、プリントサイト１１３Ａに対してログイン処理する事なく、該フォトサイト１０７を介して、該プリントサイト１１３Ａのプリント注文サービスを受ける事ができる。
【００４８】
以下、ログイン代行処理後のプリント注文の過程を説明する。
【００４９】
該ユーザＰＣ１０２Ａの顧客は、ブラウザを介してフォトサイト１０７において選択した閲覧画像を、該プリントサイト１１３Ａにプリント注文する場合、プリント注文に必要な情報を入力する。
【００５０】
該フォトサイト１０７は、プリント注文依頼のあった画像データに関する仮プリントオーダを生成し、該プリントサイト１１３Ａに、該インターネット１０６を介して、見積もり依頼をかける。そして、該フォトサイト１０７からの仮プリントオーダを受けた該プリントサイト１１３Ａは、課金手段であるの課金モジュール１１５Ａで、仮プリントオーダの内容から価格を算出した見積り価格情報を、該インターネット１０６を介して該フォトサイト１０７に通知する。
【００５１】
そして、該フォトサイト１０７は、この見積もり価格情報をリアルタイムに受信し、該ユーザＰＣ１０２ＡにＷｅｂ情報として転送し、プリント注文をするユーザに、ダイナミックにトータルの見積もり価格を提示する事ができる。
【００５２】
この一連の制御をフォトサイト１０７のシステムコントローラ１１２のモジュールが行っている。この提示された価格情報に従う価格での購入を、プリント注文した該ユーザＰＣ１０２Ａのユーザが認め、承認のアクションをブラウザを介して該フォトサイト１０７に返すと、フォトサイト１０７の該システムコントローラ１１２がこれを受理し、上記仮プリントオーダ情報に代わる正式プリントオーダ情報を作成し、該プリントサイト１１３Ａに送信し、かつ決済代行サイト１１８に、決済処理の代行処理を依頼する。
【００５３】
該プリントサイト１１３Ａは、この正式プリントオーダをフォトサイト１０７から受理し、プリントアウトに必要な画像データを該フォトサイト１０７の該画像データベース１０８から獲得する。
【００５４】
この様にして獲得された画像データは、該プリントサイト１１３Ａが所有する印刷手段１１６Ａを用いて、プリントアウトされ印刷物１１７Ａとして出力される。
【００５５】
そして、プリントサイト１１３Ａの印刷手段１１６Ａでプリントアウトされた該印刷物１１７Ａは、何がしかの運送手段によって、プリントアウトを依頼した該ユーザＰＣ１０２Ａの顧客が指定した配送先に届けられる。なお、印刷手段１１６Ａは、プリントサイトの構成により様々なエンジンを備えており、プリント方法も電子写真方式によるものもあれば、インクジェット方式によるものもある。
【００５６】
また、該決済代行サイト１１８は、該フォトサイト１０７からの決済代行依頼に基づき、決済モジュール１２０によって、顧客データベース（顧客ＤＢ）１１９から、該ユーザＰＣ１０２Ａの顧客属性情報を参照し、所定の決済処理システムコントローラ１２１が実行する。決済方法は、クレジットカートによるものもあれば、Ｗｅｂマネー（例えばビットキャッシュ（サービス名））によるものもあれば、ネットバンク、代金引換サービス等も利用可能である。
【００５７】
図２は、図１に示したユーザＰＣのハード構成を説明するブロック図であり、図１と同一のものには同一の符号を付してある。
【００５８】
図２において、２３０がユーザＰＣであり、２１６が本装置全体を制御するＣＰＵであり、後述する記憶手段に格納されている制御プログラムに基づいて演算処理を実行する事により、いろいろな機能を提供する事ができる。
【００５９】
２２０は共通バスラインで、該クライアントＰＣ２３０で各ユニットが必要とする信号をやり取りする。２１７はＲＡＭであり、該ＣＰＵ２１６の主メモリとして、及び実行プログラムのワークエリアや一時待機領域として機能する。
【００６０】
２１７はＲＯＭで、該ＣＰＵ２１６の周辺回路との動作処理手順を記憶している。また、ＲＯＭ２１８は該ユーザＰＣ２３０の機能制御を司るシステムプログラムや後述する処理フローで表されるプログラムや、システムを稼動する為に必要なデータが記録されている。
【００６１】
２２１はネットワークインタフェース（ＮＥＴＩＦ）であり、このネットワークインタフェース２２１を介して、該インターネット１０６ヘアクセスし、フォトサイト１０７、プリントサイト１１３Ａ〜１１３Ｃ、決済代行サイト１１８のそれぞれのサーバＰＣとのデータ転送等の通信処理を実行する。
【００６２】
２２２はビデオＲＡＭであり、該クライアントＰＣ２３０の稼動状態を表示するＣＲＴ２２５に表示される画像データを展開し、その表示の制御を行う。２２３はキーボードなどの外部入力装置（ＫＢ）からの入力信号を制御するためのキーボードコントローラ（ＫＢＣ）である。
【００６３】
２２６は操作を受け付ける為の外部入力装置（ＫＢ）であり、一般的にキーボードやポインティングデバイスを示している。２２４はディスクコントローラ（ＤＣ）であり、ハードディスクやフレキシブルディスクなどのリムーバブルディスク２２７の制御を行う。
【００６４】
なお、該リムーバブルディスク２２７には、本発明で使用するアプリケーションププログラムやプリント注文で使用するオーダテンプレート及び上記サービス情報もここに含まれる場合がある。
【００６５】
２１９が外部装置とのデータ転送の為のインタフェース部（ＥｘｔＩＦ）であり、図２においてはフォトサイト１０７に転送する為に必要なデジタルカメラ、デジタルビデオ等の画像入力機器が接続されている。
【００６６】
２００は画像入力機器であり、２０１は被写体の光学像を撮影して電気信号に変換するカメラ処理ブロックである。
【００６７】
２０２は操作部であり、シャッタやメニュー操作の為のキーである。２０３は液晶ディスプレイＬＣＤ等のモニタ（ＬＣＤ）であり、撮影した画像データを表示したり、メニュー操作で必要な文字等を出力する。
【００６８】
２０４はイメージ処理プロセッサ（ＩｍａｇｅＰ）で、該カメラ処理ブロック２０１からの撮影画像を単純に電気信号に変換した信号を、専用プロセッサで画像処理をして、高精細かつクオリティの高い画像データに変換する。２０５はキーコントローラ（ＫｅｙＣ）であり、該操作部２０２に接続されているキーからの指示を受け取り、信号共通バス２０８に転送する。
【００６９】
２２９は信号処理本体ユニットである。信号処理本体ユニット２２９において、２０９はＣＰＵであり、該画像入力装置２００の全体のシーケンスを制御する。２１０はシステムコントローラ（ＳｙｓＣｎｔ）であり、該ＣＰＵ２０９のジョブをサポートし、該イメージ処理プロセッサ２０４や該カメラ処理ブロック２０１の機能制御をサポートする。
【００７０】
２１１はＲＡＭであり、撮影した画像データ等を一時記憶する為のメモリ空間である。２０７はＲＯＭであり、該画像入力装置２００を制御する為の基本プログラムが格納されている。２１２は出カインタフェース（ＥｘｔＩＦ）であり、撮影した画像データを外部装置に転送したり、外部装置から画像データや、制御プログラムを受け取る。
【００７１】
図３は、図１に示したフォトサイトサーバ１０７と決済代行サイトサーバ１１８のハード構成を説明するブロック図である。
【００７２】
図３において、３００がフォトサイトサーバＰＣである。フォトサイトサーバＰＣ３００において、３０２が本装置全体を制御するＣＰＵであり、記憶手段に格納されている制御プログラムに基づいて演算処理を実行する事により、いろいろな機能処理を実行可能に構成されている。
【００７３】
３０６は共通バスラインで、該フォトサイトサーバＰＣ３００内の各ユニットが必要とする信号をやり取りする。３０３はＲＡＭであり、該ＣＰＵ３０２の主メモリとして、及び実行プログラムのワークエリアや一時待機領域として機能する。
【００７４】
３０４はＲＯＭで、該ＣＰＵ３０２の動作処理手順を記憶している。また、ＲＯＭ３０４は該クライアントＰＣ３００の機能制御を司るシステムプログラムや後述する処理フローで表されるプログラムや、システムを稼動する為に必要なデータが記録されている。
【００７５】
３０５はネットワークインタフェース（ＮＥＴＩＦ）であり、このＮＥＴＩＦ３０５を介して、該インターネット１０６ヘアクセスし、ユーザＰＣ１０２Ａ及びプリントサイト１１３Ａ〜１１３Ｃ、決済代行サイト１０８のそれぞれのサーバＰＣとのデータ転送等の通信処理を実行する。
【００７６】
３０７はビデオＲＡＭ（ＶＲＡＭ）であり、該フォトサイトＰＣ３００の稼動状態を表示するＣＲＴ３１０に表示される画像データを展開し、その表示の制御を行う。３０８はキーボードなどの外部入力装置からの入力信号を制御するためのキーボードコントローラ（ＫＢＣ）である。
【００７７】
３１１は操作を受け付ける為の外部入力装置（ＫＢ）であり、一般的にキーボードやポインティングデバイスを示している。３０９はディスクコントローラ（ＤＣ）であり、ハードディスク（ＨＤＤ）やフレキシブルディスク（ＦＤＤ）などのリムーバブルディスク３１２の制御を行う。この該リムーバブルディスク３１２には、本実施形態で使用する、図１に示した顧客情報リレーションユニット１５０を含むサーバアプログラムやプリント注文で使用するオーダテンプレート及び上記サービス情報、顧客情報、画像データもここに含まれる。
【００７８】
３５０は決済代行サイトサーバＰＣであり、３５２は本装置全体を制御するＣＰＵであり、記憶手段に格納されている制御プログラムに基づいて演算処理を実行する事により、いろいろな機能処理を実行可能に構成されている。３５６は共通バスラインで、該決済代行サイトサーバＰＣ３５０で各ユニットが必要とする信号のやり取りを行う。
【００７９】
３５３はＲＡＭであり、該ＣＰＵ３５２の主メモリとして、実行プログラムのワークエリアや一時待機領域として機能する。３５４はＲＯＭで、該ＣＰＵ３５２の動作処理手順を記憶している。また、ＲＯＭ３５４は該決済代行サイトサーバＰＣ３５０の機能制御を司るシステムプログラムや後述する処理フォローで表されるプログラムや、システムを稼動する為に必要なデータが記録されている。
【００８０】
３５５はネットワークインタフェース（ＮＥＴＩＦ）であり、このネットワークインタフェース３５５を介して、該インターネット１０６ヘアクセスし、図１に示したユーザＰＣ１０２Ａ及びプリントサイト１１３Ａ〜１１３Ｃ、フォトサイト１０７のそれぞれのサーバＰＣとのデータ転送等の通信処理を実行する。
【００８１】
３５７はビデオＲＡＭ（ＶＲＡＭ）であり、該フォトサイトＰＣ３５０の稼動状態を表示するＣＲＴ３６０に表示される画像データを展開し、その表示の制御を行う。３５８はキーボードなどの外部入力装置からの入力信号を制御するためのキーボードコントローラ（ＫＢＣ）である。３６１は操作を受け付ける為の外部入力装置（ＫＢ）であり、一般的にキーボードやポインティングデバイスを示している。３５９はディスクコントローラ（ＤＣ）であり、ハードディスク（ＨＤＤ）やフレキシブルディスク（ＦＤ）などのリムーバブルディスク３６２の制御を行う。この該リムーバブルディスク３６２には、本実施形態で使用するサーバプログラムや決済処理に必要な顧客属性情報及び上記サービス情報等も、ここに含まれる。
【００８２】
図４は、図１に示したプリントサイト１１３Ａ〜１１３Ｃの構成を説明するブロック図であり、プリントサイトＰＣ４００と印刷装置４１４とから構成されている例に対応する。
【００８３】
図４において、４００はプリントサイトサーバＰＣであり、４０２は本装置全体を制御するＣＰＵであり、記憶手段に格納されている制御プログラムに基づいて演算処理を実行する事により、いろいろな機能処理を実行可能に構成されている。４０６は共通バスラインで、該プリントサイトＰＣ４００で各ユニットが必要とする信号のやり取りを行う。
【００８４】
４０３はＲＡＭであり、該ＣＰＵ４０２の主メモリとして、及び実行プログラムのワークエリアや一時待機領域として機能する。４０４はＲＯＭで、該ＣＰＵ４０２の動作処理手順を記憶している。また、ＲＯＭ４０４は該フォトサイトＰＣ４００の機能制御を司るシステムプログラムや後述する処理フォローで表されるプログラムや、システムを稼動する為に必要なデータが記録されている。
【００８５】
４０５はネットワークインタフェース（ＮＥＴＩＦ）であり、このインタフェース４０５を介して、インターネット１０６ヘアクセスし、図１に示したユーザＰＣ１０２Ａ及び、フォトサイト１０７、決済代行サイト１１８のそれぞれのサーバＰＣとのデータ転送等の通信処理を実行する。
【００８６】
４０７はビデオＲＡＭ（ＶＲＡＭ）であり、該プリントＰＣ４００の稼動状態を表示するＣＲＴ４１１に表示される画像データを展開し、その表示の制御を行う。４０８はキーボードなどの外部入力装置からの入力信号を制御するためのキーボードコントローラ（ＫＢＣ）である。
【００８７】
４１２は操作を受け付ける為の外部入力装置（ＫＢ）であり、一般的にキーボードやポインティングデバイスを示している。４０９はディスクコントローラ（ＤＣ）であり、ハードディスク（ＨＤＤ）やフレキシブルディスク（ＦＤＤ）などのリムーバブルディスク４１３の制御を行う。この該リムーバブルディスク４１３には、本発明で使用するサーバプログラムやプリント注文で使用するオーダテンプレート及び上記サービス情報もここに含まれる。
【００８８】
４１０は外部インタフェース（ＰＲＴＣ）で、印刷装置４１４にプリントデータを送る。該印刷装置４１４は外部インタフェース（ＥｘｔＩＦ）４１９で、プリントデータを該フォトサイトＰＣ４００から受け取り、印刷処理を実行する。
【００８９】
４１６はＣＰＵで、該印刷装置４１４の全体の処理の管理を行う。４１７はＲＡＭ、４１８はＲＯＭであり、該ＣＰＵ４１６が使用する印刷制御に必要なプログラムが格納されている。４２０は信号共通バスであり、４１５は印刷処理をコントロールする印刷処理ユニットである。４２１はプリント処理エンジン（ＰｒｉｎｔＨ）であり、プリントヘッド４２４で実際に印字する為のデータをラスタライズして、該プリントヘッド（ＰｒｉｎｔＨ）４２４を駆動する。
【００９０】
図５は、図１に示したフォトサイト１０７及びプリントサイト１１３Ａ〜１１３Ｃの顧客情報データベース（顧客ＤＢ）に格納されている顧客情報テーブルの一例を示す図である。
【００９１】
図５において、５−１はフォトサイトが保存する顧客情報テーブルであり、該顧客データベース１０９に保存されている。５００は利用する顧客の氏名、５０１は住所、５０２は生年月日、５０３はＥメールアドレスであり、ここに上げた顧客情報は一例であり、これ以外の顧客属性情報が登録される場合もある。
【００９２】
５０４は前記フォトサイト１０７が利用顧客を識別する為の識別ＩＤであり、５０５は前記フォトサイト１０７に、利用顧客がログインする為のログインパスワードである。５０６は利用する顧客の該プリントサイト１１３Ａにおける識別ＩＤ（Ａ）であり、５０７は利用する顧客の該プリントサイト１１３Ａにおけるログインパスワード（Ａ）である。
【００９３】
５０８は利用する顧客の該プリントサイト１１３Ｂにおける識別ＩＤ（Ｂ）であり、５０９は利用する顧客の該プリントサイト１１３Ｂにおけるログインパスワード（Ｂ）である。
【００９４】
５１０は利用する顧客の該プリントサイト１１３Ｃにおける識別ＩＤ（Ｃ）であり、５１１は利用する顧客の該プリントサイト１１３Ｃにおけるログインパスワード（Ｃ）である。
【００９５】
５−２は前記プリントサイト１１３Ａが保存する顧客情報テーブルであり、該顧客データベース１５１に保存されている。５１２は利用する顧客の氏名、５１３は住所、５１４は生年月日、５１５は、Ｅメールアドレスであり、ここに上げた顧客情報は一例であり、これ以外の顧客属性情報が登録される場合もある。
【００９６】
５１６は前記プリントサイト１１３Ａが、利用顧客を識別する為の識別ＩＤであり、５１７は前記プリントサイト１１３Ａに、利用顧客がログインする為のログインパスワードである。
【００９７】
５−３は前記プリントサイト１１３Ｂが保存する顧客情報テーブルであり、該顧客データベース１５２に保存されている。５１８は利用する顧客の氏名、５１９は住所、５２０は生年月日、５２１は、Ｅメールアドレスであり、ここに上げた顧客情報は一例であり、これ以外の顧客属性情報が登録される場合もある。
【００９８】
５２２は前記プリントサイト１１３Ｂが、利用顧客を識別する為の識別ＩＤであり、５２３は前記プリントサイト１１３Ｂに、利用顧客がログインする為のログインパスワードである。
【００９９】
５−４は前記プリントサイト１１３Ｃが保存する顧客情報テーブルであり、該顧客データベース１５３に保存されている。５２４は利用する顧客の氏名、５２５は住所、５２６は生年月目、５２７は、Ｅメールアドレスであり、ここに上げた顧客情報は一例であり、これ以外の顧客属性情報が登録される場合もある。
【０１００】
５２８は前記プリントサイト１１３Ｃが、利用顧客を識別する為の識別ＩＤであり、５２９は前記プリントサイト１１３Ｃに、利用顧客がログインする為のログインパスワードである。
【０１０１】
図６は、本実施形態における画像処理システムにおける第１のデータ処理手順の一例を示すフローチャートであり、プリント注文処理におけるユーザＰＣのデータ処理手順に対応する。なお、（６００）〜（６１３）は各ステップを示し、各ステップは、図２に示したユーザＰＣ２３０のＣＰＵ２１６がＲＯＭ２１８等より制御プログラムをＲＡＭ２１７へロードして実行することで実現される。
【０１０２】
先ず、ステップ（６００）で、ユーザＰＣ２３０上よりプリント注文に関する処理がスタートすると、該クライアントＰＣ１０２Ａの顧客は、該フォトサイト１０７のプリントサービスを受けるため、インターネット１０６を介して、該フォトサイト１０７Ａが提供するホームページにアクセスする（６０１）。
【０１０３】
次に、該フォトサイト１０７は、ユーザ承認の為、先に発行した認識ＩＤであるパスワードの入力をユーザＰＣ１０２Ａに要求し、これに対して該ユーザＰＣ１０２Ａの顧客は、パスワードをＫＢ２２３等を操作して入力する（６０３）。これにより、フォトサイト１０７は、このパスワードをインターネット１０６を介して受け取り、該顧客データベース１０８に格納されている顧客属性情報と照会して、本人である事を確認して、ログインを許可する（６０３）。
【０１０４】
そして、フォトサイト１０７によりログインが承認された顧客は、画像閲覧画面をＣＲＴ４１１上に表示する（６０４）。ここで、顧客は、既にフォトサイト１０７にアップロードした画像データを閲覧する。なお、閲覧対象を絞り込むような制御を加えることで、検索時間を短縮できるように制御することは任意である。
【０１０５】
次に、ＣＲＴ４１１を介してフォトサイト１０７を介して閲覧した画像データの中から、プリント注文したい画像があった場合、該ユーザＰＣ１０２Ａの顧客からの要求で、「プリント注文画面」をＣＲＴ４１１上に表示する（６０５）。そして、プリント注文する為のプリントサイト（図１に示したプリントサイト１１３Ａ〜１１３Ｃのいずれか）を選択し（６０６）、印刷枚数、印刷する商品等のプリント淀文に必要な情報を図示しないユーザインタフェースを介して入力する（６０７）。
【０１０６】
次に、「プリント注文？」の処理が指示されているかどうかをＣＰＵ４１６が判断（例えば注文ボタンが指示されているかどうかから判定する）して（６０８）、上記ステップ（６０７）で入力した情報で、プリント注文したい場合、上記注文ボタンが押下された場合には、ステップ（６０８）の判定がＹＥＳとなり、それ以外の場合、例えばプリント注文を止めたい場合は、ステップ（６０４）の画像閲覧画面表示処理に戻る。
【０１０７】
そして、ステップ（６０８）で、プリント注文が指示されていると判断した場合は、該フォトサイト１０７に、プリント注文の依頼をかけるため、ステップ（６０７）で入力されたプリント注文に関する諸情報は、該フォトサイト１０７に転送される。そして、フォトサイト１０７のでは、このプリント注文を、注文先のプリントサイトのオーダフォーマットの仕様に変換して、仮プリントオーダを発行する。仮オーダを受けたプリントサイトは、仮オーダを解析し、見積り金額を算出し、該フォトサイト１０７に通知する。
【０１０８】
これを受けた該フォトサイト１０７は、顧客に見積り金額での購入意思があるかの確認を行う為、該ユーザＰＣ１０２Ａに情報を送る（６０９）。
【０１０９】
そして、顧客が、この見積り金額での購入を決めたかどうかを、例えばユーザＰＣ１０２ＡのＣＲＴ２２５の画面表示されるＵＩ（図示しない）を介して指示しているかどうかに基づいてＣＰＵ２１６が判断して（６１０）、購入を決定していると判断した場合は、ステップ（６１１）で、仮プリントオーダに対してプリントサイト１１３Ａ等より算出された見積り金額に従い、フォトサイト１０７が通知した見積もり金額での印刷を実行させるため、フォトサイト１０７に正式な発注依頼をかけ（６１１）、ステップ（６１２）で、プリント発注処理を終了する。なお、見積もり金額に対して、バリエーションを設けて、例えばさらに画質アップとか、低価格とかを比較してユーザが最終判断を下せるように、複数の金額を提示するように制御してもよい。また、最終的な受け取り方法を、期限付きで、速く、普通等で差別化して、さらに、料金に差ができるような見積もり処理を行うことは任意である。
【０１１０】
一方、ステップ（６１０）で、購入決定を取消等の指示があったとＣＰＵ２１６が判断した場合は、ステップ（６０８）へ戻る。
【０１１１】
これにより、ユーザＰＣ１０２Ａの顧客は、フォトサイト１０７へのアクセス時に入力したＩＤ、パスワード以外に、プリントサイト等へのアクセス承認に際して、何等認証情報を入力する必要がなくなり、ユーザ負担が軽減されることとなる。
【０１１２】
なお、ユーザＰＣ１０２Ａとフォトサイト１０７間とのやり取りにおいて、ＳＳＬを利用することは任意である。ここで、ＳＳＬは公開鍵暗号や秘密鍵暗号、デジタル証明書、ハッシュ関数などのセキュリティ技術を組み合わせ、データの盗聴や改ざん、なりすましを防ぐことができる。ＯＳＩ参照モデルではセッション層(第４層)とトランスポート層(第４層)の境界で動作し、ＨＴＴＰやＦＴＰなどの上位のプロトコルを利用するアプリケーションソフトからは、特に意識することなく透過的に利用することができる。ＳＳＬ３．０をもとに若干の改良が加えられたＴＬＳ１．０がＲＦＣ２２４６としてＩＥＴＦで標準化されている。
【０１１３】
図７は、本実施形態における画像処理システムにおける第２のデータ処理手順の一例を示すフローチャートであり、プリント注文処理におけるフォトサイトサーバＰＣ３００のデータ処理手順に対応する。なお、（７００）〜（７１４）は各ステップを示し、各ステップは、図２に示したフォトサイトサーバＰＣ３００のＣＰＵ３０２がＲＯＭ３０４等より制御プログラムをＲＡＭ３０３へロードして実行することで実現される。
【０１１４】
ステップ（７００）で、フォトサイト１０７のプリント注文に関する処理が開始されると、ユーザＰＣ１０２Ａの顧客から送信されてきた注文先プリントサイトのオーダテーブルの仕様に則ったプリント注文情報を受信する（７０１）。
【０１１５】
次に、受信されたプリント注文情報はＣＰＵ３０２が実行する制御プログラムで解析され、プリント注文に必要な情報が抽出され、該抽出されたプリント注文に関する情報から、注文先のプリントサイトの情報を見つけて確認する（７０２）。
【０１１６】
次に、顧客の注文先のプリントサイトヘログイン代行を実行する為の注文先プリントサイト用パスワードを、該顧客データベース１０９から獲得する（７１６）。この際、ユーザＰＣ１０２Ａ側の顧客は何等認証情報をプリントサイトから要求されることはなく、フォトサイト１０７とプリントサイト１１３Ａ等の間で自動的に実行される。
【０１１７】
そして、プリント注文をする顧客に代わり、ログインパスワードを注文先プリントサイトに送り、顧客に代わり、ログイン処理を代行する（７１７）。
【０１１８】
次に、ステップ（７０２）で確認された注文先のプリントサイトのプリント注文用オーダテーブルを読み込む注文先オーダテーブルロードを行う（７０３）。
【０１１９】
ここで、読み込まれた注文先のオーダテーブルの仕様を基に、プリント注文情報を、注文先のプリントオーダに変換する（７０４）。
【０１２０】
そして、この変換された情報に基づいて、購入代金の見積り金額算出の為に、仮プリントオーダを作成し（７０５）、注文先のプリントサイトに対して、仮プリントオーダを送信する（７０６）。
【０１２１】
そして、仮プリントオーを受け取った注文先のプリントサイトでは、仮プリントオーダの内容をＣＰＵ４０２が実行する制御プログラムにより分析し、プリント注文に関する料金の見積り金額を算出し、該フォトサイト１０７に送信する。
【０１２２】
そして、フォトサイト１０７は、注文先のプリントサイトから送信される情報を受け取り（７０７）、注文先からの見積り料金に、必要経費、付加価億サービス、利益等の料金を加え、顧客に提示する価格を決定する（７０８）。なお、この価格決定において、登録ユーザ毎の割引率を考慮するテーブルを参照して、オーダボリューム等に応じた割引処理を施すことは任意である。
【０１２３】
そして、決定された価格である見積り結果をユーザＰＣ１０２Ａの顧客に通知する（７１６）。なお、ユーザＰＣ１０２Ａの顧客は、この提示された価格での購入を決めたとき、正式注文のアクションを、購入をとりやめる時、注文のキャンセルを図示しないＵＩで提供されるボタン等を指示することで該フォトサイト１０７に通知することとなり、図示しないＵＩ画面上等で、正式注文を指示するボタン等が指示されているかどうかを判断して（７０９）、注文のキャンセルの通知を受けた場合、オーダキャンセル等の指示処理によって、フォトサイト７１３は、今回のプリント注文に関するプリントオーダのキャンセルを、注文先のプリントサイトに依頼に（７１３）、キャンセルを確認した上で処理を終える（７１５）。
【０１２４】
一方、ステップ（７０９）で、正式注文のアクションがなされていると判断した場合は、正式プリントオーダを注文先のプリントサイトに転送する（７１０）。なお、正式プリントオーダにオプションを設けて、仮発注と同様の指示の場合には、指示内容を簡略したり、仮発注の内容を一部訂正等する付加情報のみを指示する等の制御を行っても良い。
【０１２５】
このようにして正式プリントオーダをプリントサイトに発行した後、顧客が支払うプリント注文に関する料金の決済代行を決済代行サイト１１８に依頼する（７１１）。これを受けた該決済代行サイト１１８が決済処理を実行し、その終了を該フォトサイト１１７に通知する。そして、決済終了の通知を確認し（７１２）、本処理を終了する（７１４）。
【０１２６】
これにより、フォトサイト１０７からプリンサイトへの仮注文時や、正式注文時に、ユーザＰＣから認証情報をプリントサイトに通知する処理が不要となり、ユーザＰＣの顧客による発注処理が軽減される。
【０１２７】
図８は、本実施形態における画像処理システムにおける第３のデータ処理手順の一例を示すフローチャートであり、プリント注文処理におけるフォトサイトサーバＰＣ３００のデータ処理手順に対応する。なお、（８００）〜（８１１）は各ステップを示し、各ステップは、図２に示したプリントサイトサーバＰＣ４０２のＣＰＵ４０２がＲＯＭ４０４等より制御プログラムをＲＡＭ４０３へロードして実行することで実現される。
【０１２８】
ステップ（８００）で、プリントサイトサーバＰＣ４０２のプリント注文に関する処理が開始されると、フォトサイト１０７から送られてくる、このプリントサイトのオーダ仕様にあった見積り処理の為の仮プリントオーダを受信する（８０１）。この仮プリントオーダを受け取ったプリントサイトは、仮プリントオーダの情報をＣＰＵ４０２が制御プログラムを実行して解析し、その情報から、今回のプリント注文に関する料金を算出し、ユーザＰＣ上の顧客に通知すべ価格を見積もる。そして、この見積り結果を該フォトサイト１０７に通知する（８０２）。
【０１２９】
これを受けて、フォトサイト１０７は、該ユーザＰＣ１０２Ａの顧客に、この結果を通知し、正式に注文するか、キャンセルするかをブラウザを介して選択させ、その結果を、プリントサイトに通達する。
【０１３０】
そして、ユーザＰＣ１０２Ａの顧客がプリントサイトで決定された価格に基づくプリント処理を正式注文する指示がなされているかどうかを判断して（８０３）、正式注文の場合は、「Ｙｅｓ」を、キャンセルの場合は、「Ｎｏ」の処理に分岐する。
【０１３１】
ここで、正式注文をキャンセルする指示がなされていると判断した場合は、見積りの為に受け取っていた仮オーダを削除し（８１０）、本処理を終了する（８０９）。
【０１３２】
一方、ステップ（８０３）で、正式発注であると判断した場合、該フォトサイト１０７から、注文先のプリントサイトのオーダテーブルの仕様に則った正式プリントオーダを受信し（８０４）、商品形態、発注枚数などのプリント注文情報を抽出する等のオーダ解析処理を実行する（８０５）。
【０１３３】
次に、依頼のあったプリント注文の印刷をＰｒｉｎｔＨ４２４で実行する（８０６）。そして、印刷が終了した時点で、印刷された商品（印刷注文により印刷結果のみならず、印刷結果に対して正本処理、丁合処理等が施される場合がある）は、該ユーザＰＣ１０２Ａの顧客のもとに届けるべく、配送処理が実行される（８０７）。この処理が終了し、印刷された商品が出荷された段階で、プリントＳサイトが該フォトサイト１０７に、出荷完了を通知する（８０８）。そして、本処理を終了する（８１１）。
【０１３４】
これにより、印刷注文時において、ユーザＰＣの顧客は、プリントサイトにアクセスするために、認証処理のための情報入力操作がなくなり、ユーザ負担が軽減される。
【０１３５】
図９は、本実施形態における画像処理システムにおける第４のデータ処理手順の一例を示すフローチャートであり、プリント注文処理における決済代行サイトのデータ処理手順に対応する。なお、（９００）〜（９０９）は各ステップを示し、各ステップは、図１に示した決済代行サイトサーバＰＣのＣＰＵがＲＯＭ等より制御プログラムをＲＡＭへロードして実行することで実現される。
【０１３６】
ステップ（９００）で、フォトサイト１０７から決済代行の依頼がある事が通知されると本処理が開始され、決済代行サイト１１８は、決済処理をおこなう顧客の認識ＩＤをフォトサイト１０７から受信し（９０１）、この認証ＩＤを照会して承認する。そして、承認された顧客に対しては、以後の決済処理を遂行する為、クレジットナンバー等の情報入力のＧＵＩを該ユーザＰＣ１０２Ａの顧客に提示する（９０２）。その際に、ＳＳＬ等の処理を実行することは上述の通りである。なお、決済方法は、クレジット決済のみではなく、顧客との契約に基づき、他の方法による決済も可能であることはいうまでもない。
【０１３７】
次に、ユーザＰＣ１０２ＡのＫＢ２２６等を操作してクレジットナンバー入力のＧＵＩに入力された顧客のクレジットナンバーを、該決済代行サイト１１８が獲得する（９０３）。
【０１３８】
そして、獲得した顧客のクレジットナンバーに基づいて、実施の金銭処理を担当するクレジット会社に、決済代行サイトの顧客が料金の支払い能力がある事を確認（与信チェック）し（９０４）、プリントサイトにおける注文された商品の出荷状況をチェックし（９０５）、出荷完了の判定を行い（９０６）、もし、まだ、出荷されていなければ、Ｎｏに分岐し、再度該出荷チェックを行う。
【０１３９】
一方、ステップ（９０６）で、もし、出荷が完了していると判定した場合は、クレジット会社に決済代行を依頼（決済処理の実行）を指示し（９０７）、決済処理の終了の確認を行い（９０８）、本決済処理を終了する（９０９）。
【０１４０】
これにより、決済代行サーバへのアクセス要求時に、ユーザＰＣの顧客は、アクセスに必要な認証情報の入力が不要となり認証処理負担が軽減される。
【０１４１】
第１実施形態によれば、フォトサイトが登録顧客と各プリントサイトヘのログイン処理に関する情報を関連付ける統合顧客データベースをもち、フォトサイトにログイン処理した顧客の利用先プリントサイトヘのログイン処理を代行する機能を、フォトサイトが持つ事で、顧客は、フォトサイトに最初の段階でログイン処理を一度だけすれば、プリントサイトヘプリント注文時のプリントサイトヘのログイン処理は、フォトサイトが代行して、全てのログイン処理を行う事で、顧客のログイン処理を一度で済ます事ができ、非常に利用しやすいサービスを提供する事が可能となった。
【０１４２】
特に、顧客がフォトサイトを介して、一度のオーダで複数のプリントサイトにまたがるプリント注文をする場合、フォトサイトが全てのプリントサイトヘのログイン処理を代行する事で、顧客のプリント注文までのアクション数を大幅に削減できる。
【０１４３】
また、必要以上に顧客が、個人情報であるパスワード、顧客ＩＤ情報をインターネット環境に転送する必要がなく、フォトサイトとプリントサイトがセキュリティの高いプロトロルで、顧客情報を転送する事で、個人情報のハッキング等の情報漏洩対策にもなり、インターネット環境における個人情報の安全性も飛躍的に高める事が可能となった。
【０１４４】
〔第２実施形態〕
第１実施形態では、画像処理システムが、ユーザＰＣ、フォトサイト、プリントサイト、決済代行サイト等により構成される場合について説明したが、これ以外のサイトが関係するシステムであってもよい。
【０１４５】
さらにプリントサイトの選択は、単一ではなく、複数のプリントサイトに異なる注文を同時に発注するように構成してもよい。
【０１４６】
〔第３実施形態〕
なお、本実施形態では、画像処理システムにおける画像処理サービスを例とする場合について説明したが、データ処理装置と複数のサーバ装置とが通信可能なデータ処理システムであって、各サーバ装置とがサービス処理に対して連携するようなシステムであれば、本発明を適用可能である。
【０１４７】
〔第４実施形態〕
また、本実施形態では、顧客データベースをフォトサイトとプリントサイトと独立してもつ場合について説明したが、共有するデータベースとして構築しても同等の効果が期待できる。
【０１４８】
なお、フォトサイトとプリントサイトとにおける顧客データベース構築処理は、ネットワークを経由して暗号化処理により行う場合と、ネットワーク以外の処理で、各サイトのオペレータが登録する処理であっても本発明を適用可能である。
【０１４９】
〔第５実施形態〕
以下、図１０に示すメモリマップを参照して本発明に係る画像処理システムで読み取り可能なデータ処理プログラムの構成について説明する。なお、本実施形態では、１つの記憶媒体に対して画像処理システムとしての各制御プログラムを記憶させる場合のメモリマップを示すが、それぞれ対応するサーバ毎に対応する記憶媒体にそれぞれの制御プログラムを格納する構成であってもよい。
【０１５０】
図１０は、本発明に係る画像処理システムで読み取り可能な各種データ処理プログラムを格納する記憶媒体のメモリマップを説明する図である。
【０１５１】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【０１５２】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【０１５３】
本実施形態における図６〜図９に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【０１５４】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【０１５５】
この場合、記憶媒体から読み出されたプログラムコード自体が本発明の新規な機能を実現することになり、そのプログラムコードを記憶した記憶媒体は本発明を構成することになる。
【０１５６】
従って、プログラムの機能を有していれば、オブジェクトコード、インタプリタにより実行されるプログラム、ＯＳに供給するスクリプトデータ等、プログラムの形態を問わない。
【０１５７】
プログラムを供給するための記憶媒体としては、例えばフレキシブルディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤなどを用いることができる。
【０１５８】
この場合、記憶媒体から読出されたプログラムコード自体が前述した実施形態の機能を実現することになり、そのプログラムコードを記憶した記憶媒体は本発明を構成することになる。
【０１５９】
その他、プログラムの供給方法としては、クライアントコンピュータのブラウザを用いてインターネットのホームページに接続し、該ホームページから本発明のコンピュータプログラムそのもの、もしくは、圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバやｆｔｐサーバ等も本発明の請求項に含まれるものである。
【０１６０】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【０１６１】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１６２】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１６３】
本発明は上記実施形態に限定されるものではなく、本発明の趣旨に基づき種々の変形（各実施形態の有機的な組み合わせを含む）が可能であり、それらを本発明の範囲から排除するものではない。
【０１６４】
本発明の様々な例と実施形態を示して説明したが、当業者であれば、本発明の趣旨と範囲は、本明細書内の特定の説明に限定されるのではなく、以下の実施態様も含まれることはいうまでもない。以下、その実施態様１〜９について説明する。
【０１６５】
〔実施態様１〕
所定の通信媒体を介してデータ処理装置からの要求に基づいて、複数のサーバ装置が提供するサービスを連携して所定のデータ処理を行うデータ処理システムであって、前記データ処理装置（図１に示すユーザＰＣ１０２Ａ）は、いずれかのサーバ装置にログインする場合にログイン情報を入力する入力手段（例えば図２に示すＫＢ２２６であって、図６に示すステップ（６０２））と、前記入力手段により入力されるログイン情報をいずれかのサーバ装置に転送する転送手段（例えば図２に示すＫＢ２２６であって、図６に示すステップ（６０３））とを備え、いずれかのサーバ装置は、前記入力手段により入力されたログイン情報を認証するための第１の認証情報（図５に示す識別ＩＤ５０４、ログインパスワード５０５）と他のサーバ装置へアクセスするための第２の認証情報（図５に示すプリントサイト別の識別ＩＤ５０６，５０８，５１０、ログインパスワード５０７，５０９，５１１）とを記憶する記憶手段（例えば図１に示した顧客データベース１０９）と、前記データ処理装置から通知されるログイン情報を前記記憶手段に記憶されている第１の認証情報に基づいて認証する認証手段（図１に示すフォトサイト１０７のＣＰＵ３０２による認証処理）と、前記認証手段による認証後、他のサーバ装置への要求が発生した場合に、前記記憶手段から前記第２の認証情報を取得して要求先のサーバ装置に転送して認証処理を代行させる認証代行手段（図１に示したＣＰＵ３０２が実行する図７に示すステップ（７１６），（７１７））とを備えたことを特徴とするデータ処理システム。
【０１６６】
これにより、データ処理装置から入力されるログイン情報でいずれかのサーバ装置に接続した後、他のサーバ装置に接続する要求が発生しても、最初のサーバ装置から要求元のユーザを認証するための認証情報が自動的に他のサーバ装置へ通知されるため、サーバ装置間で連携すべき処理が発生しても、要求元のデータ処理装置のユーザに再度、要求先のサーバ装置に対するログイン情報の入力を催促する必要もなくなり、データ処理装置のユーザのログイン処理負担を軽減できる。
【０１６７】
〔実施態様２〕
前記転送手段は、所定の暗号化処理を施してログイン情報をいずれかのサーバ装置に転送することを特徴とする実施態様１記載のデータ処理システム。
【０１６８】
これにより、サーバ装置の連携に伴って、いずれかのサーバ装置からも必要に応じた認証情報が要求先のサーバ装置へ自動的に転送することができる。
【０１６９】
〔実施態様３〕
前記データ処理装置は、さらに、いずれかのサーバ装置からデータ処理要求ＵＩを取得して表示部に表示する表示制御手段（図６に示すステップ（６０４））と、前記データ処理要求ＵＩを介してデータ処理要求をいずれかのサーバ装置に発行する要求発行手段（図６に示すステップ（６０５））と、いずれかのサーバ装置からデータ処理結果を取得して確認する確認手段（図６に示すステップ（６０９））とを備えることを特徴とする実施態様１記載のデータ処理システム。
【０１７０】
これにより、各サーバ装置で連携された処理の結果を確実に確認することができる。
【０１７１】
〔実施態様４〕
前記サービスは、画像処理サービスであることを特徴とする実施態様１記載のデータ処理システム。
【０１７２】
これにより、画像処理サービスを実行する場合に、データ処理装置から入力されるログイン情報でいずれかのサーバ装置に接続した後、他のサーバ装置に接続する要求が発生しても、最初のサーバ装置から要求元のユーザを認証するための認証情報が自動的に他のサーバ装置へ通知されるため、サーバ装置間で連携すべき処理が発生しても、要求元のデータ処理装置のユーザに再度、要求先のサーバ装置に対するログイン情報の入力を催促する必要もなくなり、データ処理装置のユーザのログイン処理負担を軽減できる。
【０１７３】
〔実施態様５〕
所定の通信媒体を介してデータ処理装置からの要求に基づいて、他のサーバ装置と連携して所定のデータ処理を行うサーバ装置であって、前記データ処理装置から通知されるログイン情報を認証するための第１の認証情報と他のサーバ装置へアクセスするための第２の認証情報とを記憶する記憶手段（例えば図１に示した顧客データベース１０９）と、前記データ処理装置から通知されるログイン情報を前記記憶手段に記憶されている第１の認証情報に基づいて認証する認証手段（図１に示すフォトサイト１０７のＣＰＵ３０２による認証処理）と、前記認証手段による認証後、他のサーバ装置への要求が発生した場合に、前記記憶手段から前記第２の認証情報を取得して要求先のサーバ装置に転送して認証処理を代行させる認証代行手段（図１に示したＣＰＵ３０２が実行する図７に示すステップ（７１６），（７１７））とを備えたことを特徴とするサーバ装置。
【０１７４】
これにより、他のサーバ装置に接続する要求が発生しても、最初のサーバ装置から要求元のユーザを認証するための認証情報が自動的に他のサーバ装置へ通知されるため、サーバ装置間で連携すべき処理が発生しても、要求元のデータ処理装置のユーザに再度、要求先のサーバ装置に対するログイン情報の入力を催促する必要もなくなり、データ処理装置のユーザのログイン処理負担を軽減できる。
【０１７５】
〔実施態様６〕
所定の通信媒体を介してデータ処理装置からの要求に基づいて、複数のサーバ装置が提供するサービスを連携して所定のデータ処理を行うデータ処理システムにおける認証処理方法であって、前記データ処理装置は、いずれかのサーバ装置にログインする場合にログイン情報を入力する入力ステップ（例えば図２に示すＫＢ２２６であって、図６に示すステップ（６０２））と、前記入力ステップにより入力されるログイン情報をいずれかのサーバ装置に転送する転送ステップとを備え、データ処理装置から入力されるログイン情報を認証するための第１の認証情報と他のサーバ装置へアクセスするための第２の認証情報とを記憶する記憶手段を備えるサーバ装置は、前記データ処理装置から通知されるログイン情報を前記記憶手段に記憶されている第１の認証情報に基づいて認証する認証ステップ（図１に示すフォトサイト１０７のＣＰＵ３０２による認証処理）と、前記認証ステップによる認証後、他のサーバ装置への要求が発生した場合に、前記記憶手段から前記第２の認証情報を取得して要求先のサーバ装置に転送して認証処理を代行させる認証代行ステップ（図１に示したＣＰＵ３０２が実行する図７に示すステップ（７１６），（７１７））と、
を備えたことを特徴とする認証処理方法。
【０１７６】
これにより、実施態様１と同等の効果を奏する。
【０１７７】
〔実施態様７〕
データ処理装置から通知されるログイン情報を認証するための第１の認証情報と他のサーバ装置へアクセスするための第２の認証情報とを記憶する記憶手段を備え、所定の通信媒体を介してデータ処理装置からの要求に基づいて、他のサーバ装置と連携して所定のデータ処理を行うサーバ装置における認証処理方法であって、前記データ処理装置から通知されるログイン情報を前記記憶手段に記憶されている第１の認証情報に基づいて認証する認証ステップ（図１に示すフォトサイト１０７のＣＰＵ３０２による認証処理）と、前記認証ステップによる認証後、他のサーバ装置への要求が発生した場合に、前記記憶手段から前記第２の認証情報を取得して要求先のサーバ装置に転送して認証処理を代行させる認証代行ステップ（図１に示したＣＰＵ３０２が実行する図７に示すステップ（７１６），（７１７））とを備えたことを特徴とする認証処理方法。
【０１７８】
これにより、実施態様５と同等の効果を奏する。
【０１７９】
〔実施態様８〕
実施態様７または８に記載の認証処理方法を実行させるためのプログラムを格納したことを特徴とするコンピュータが読み取り可能な記憶媒体。
【０１８０】
これにより、実施態様７または８と同等の効果を奏する。
【０１８１】
〔実施態様９〕
実施態様７または８に記載の認証処理方法を実行させることを特徴とするプログラム。
これにより、実施態様７または８と同等の効果を奏する。＄
【図面の簡単な説明】
【０１８２】
【図１】本発明の第１実施形態を示すデータ処理システムの構成を説明するブロック図である。
【図２】図１に示したユーザＰＣのハード構成を説明するブロック図である。
【図３】図１に示したフォトサイトサーバと決済代行サイトサーバのハード構成を説明するブロック図である。
【図４】図１に示したプリントサイトの構成を説明するブロック図である。
【図５】図１に示したフォトサイト及びプリントサイトの顧客情報データベース（顧客ＤＢ）に格納されている顧客情報テーブルの一例を示す図である。
【図６】本実施形態における画像処理システムにおける第１のデータ処理手順の一例を示すフローチャートである。
【図７】本実施形態における画像処理システムにおける第２のデータ処理手順の一例を示すフローチャートである。
【図８】本実施形態における画像処理システムにおける第３のデータ処理手順の一例を示すフローチャートである。
【図９】本実施形態における画像処理システムにおける第４のデータ処理手順の一例を示すフローチャートである。
【図１０】本発明に係る画像処理システムで読み取り可能な各種データ処理プログラムを格納する記憶媒体のメモリマップを説明する図である。
【符号の説明】
【０１８３】
１０２Ａ  ユーザＰＣ
１０７  フォトサイト
１１３Ａ〜１１３Ｃ  プリントサイト
１１８  決済代行サイト
【図１】
2006236258.tif 000003
【図２】
2006236258.tif 000004
【図３】
2006236258.tif 000005
【図４】
2006236258.tif 000006
【図５】
2006236258.tif 000007
【図６】
2006236258.tif 000008
【図７】
2006236258.tif 000009
【図８】
2006236258.tif 000010
【図９】
2006236258.tif 000011
【図１０】
2006236258.tif 000012